(57)【要約】      （修正有）【課題】強風等によっても外れにくいとともに、ドレン管内にゴミ、落ち葉等が詰まってしまうことを有効に防止することができるドレンキャップを提供する。【解決手段】建物に形成された排水口を通水可能に塞ぎながら、屋上に着脱自在に固定されるドレンキャップ１であって、多数の通水孔６が形成された本体部３と、本体部３の下端に本体部３の外周方向に連設された取付部７を具備したドレンキャップ本体２と、取付部７を屋上に着脱自在に固定するための取付部材を具備し、取付部材は、取付部７の裏面に装着されたマグネット又は磁性体よりなるキャップ側取付部材８ａと、屋上側に取り付けられる、キャップ側取付部材８ａに吸着可能な磁性体又はマグネットよりなる固定側取付部材であることを特徴とする。【選択図】図１
0003195249.tif 000002
【実用新案登録請求の範囲】
【請求項１】
建物に形成された排水口を通水可能に塞ぎながら、屋上に着脱自在に固定されるドレンキャップであって、
多数の通水孔（６）が形成された本体部（３）と、
該本体部（３）の下端に、本体部（３）の外周方向に連設された取付部（７）と、を具備したドレンキャップ本体（２）と、
前記取付部（７）を屋上に着脱自在に固定するための取付部材と、を具備したことを特徴とするドレンキャップ。
【請求項２】
前記取付部材が、前記取付部（７）の裏面に装着されたマグネット又は磁性体よりなるキャップ側取付部材（８ａ）と、屋上側に取り付けられる、前記キャップ側取付部材（８ａ）に吸着可能な磁性体又はマグネットよりなる固定側取付部材（８ｂ）であることを特徴とする請求項１に記載のドレンキャップ。
【請求項３】
前記取付部材が、屋上に取り付けられるベース（１４）と、該ベース（１４）の上面に上方に連設された折り曲げ自在のフック部（１５）と、を具備したフックであることを特徴とする請求項１に記載のドレンキャップ。
【考案の詳細な説明】
【技術分野】
【０００１】
本考案は、建物の屋上等に形成された排水口を通水可能に塞ぐドレンキャップに係り、より詳しくは、外れにくいとともに、ゴミ等がドレン管に詰まってしまうことを防止可能なドレンキャップに関する。
【背景技術】
【０００２】
周知のように、建物の屋上等には、雨水等の排水のために、屋上の床面に開口した排水口を有した排水路が形成されている。また一般的に、排水路内には、ドレン管と呼ばれる排水管が埋設されているとともに、このドレン管の中にゴミ、落ち葉等が流れ込んでドレン管が詰まってしまうことを防止するために、排水口にはドレンキャップが取り付けられている。
【０００３】
このドレン管及びドレンキャップの関係を説明すると、図７において、３１は屋上等の躯体部分でありスラグ等であり、この躯体部分３１には、上端部が屋上の床面に開口した排水路３２が形成されている。また、排水路３２内には、筒状の排水管３３が埋設されており、この排水管３３の上部開口は、雨水等を排水管３３に取り入れるための排水口３４とされている。
【０００４】
そして、排水管３３には、排水口３４を通水可能に塞ぐ形態で、ドレンキャップが取り付けられている。即ち、図において３５がドレンキャップである。そして、ドレンキャップ３５は一般的に、ドレンキャップ本体３５０１と、このドレンキャップ本体３５０１の下端に外周側に連設された取付部３５０２とを具備しており、ドレンキャップ本体３５０１には多数の通水孔３５０３が形成され、取付部３５０２は、ドレン管３３の上部に取り付けたドレン金物３６に、ネジ等によって固定されている。
【０００５】
ところで、図において３７は防水剤で構成される防水層である。即ち、一般的に屋上等の躯体３１は、防水層３７によって防水処理が施されているため、防水機能を維持するために、定期的に防水層３７の改修工事を行う必要がある。
【０００６】
ここで、一般的な防水層の改修工事の手順を説明すると、防水層３７の改修工事を行う場合には、まず、ドレンキャップ３５を取り外し、排水口３４をシート等によって塞ぎ、あるいは、排水管３３内に防水剤等が入り込まないようにした後に、防水層３７の上に防水処理を施す。
【０００７】
そして、その後、防水層３７の改修が完了した後にドレンキャップを再装着する必要があるが、このとき、前述したように、ドレンキャップ３５はドレン金物等３６にネジ等によって固着されているため、改修工事に際してドレンキャップ３５を取り外すとき、ドレンキャップ３５やネジ孔が壊れてしまい再利用できなくなってしまうことがある。また、改修工事の前に既に、ドレンキャップ３５が壊れてしまっていたり、風等で飛ばされてしまい無くなってしまっていたりする場合もある。
【０００８】
そのために、防水工事等の改修工事が終了した後には、新たなドレンキャップを排水口に取り付けることが一般的であるが、防水工事によってネジ孔が塞がってしまっている場合等には、通常のドレンキャップを取り付けることは困難である。
【０００９】
そこで、一般的に、屋上等の改修工事の後には、改修用ドレン管と改修用ドレンキャップが用いられる。即ち、図８が改修用ドレン管４１を示す図であり、この改修用ドレン管４１は、排水口４２を有するプレート部４３と、このプレート部４３の下面に、プレート部４３の排水孔４２を塞ぐ配置で連設された筒状の挿入管部４４を有して構成されている。そして、この改修用ドレン管４１は、改修工事の際に、プレート部４３の下面が屋上等の床面に当接するようにして、挿入管部４４を屋上等の排水管３３内に挿入することで取り付けられる。
【００１０】
一方、図９は、前記改修用ドレン管４１に取り付けられる改修用ドレンキャップ５１であり、この改修用ドレンキャップ５１は、改修用ドレン管４１の排水口４２を通水可能に塞ぐキャップ本体５２を有しており、このキャップ本体５２には多数の通水窓５３が形成されている。また、キャップ本体５２の下端には外周側に向けて載置部５４が連設されている。
【００１１】
次に、図において、キャップ本体５２の内部には下方に向けて、軸部５５が連設されており、この軸部５５には、複数枚の板バネ状のバネ部材５６が取り付けられており、このバネ部材５６は、改修用ドレン管４１における挿入管部４４の内面を押圧可能としている。
【００１２】
そして、このように構成される改修用ドレンキャップ５１は、防水工事等の改修工事が終了した後に、キャップ本体５２によって改修用ドレン管４１の排水口４２を通水可能に塞ぐ形態で、かつ、載置部５４が前記改修用ドレン管４１のプレート部４３の上面に当接するようにして、改修用ドレン管４１に被せられ、これによって、改修用ドレン管４１に取り付けられる。
【００１３】
そうすると、ネジ等を用いることなく、屋上等の排水口３４を通水可能に塞ぐことができるとともに、前記バネ部材５５が改修用ドレン管４１の内面を押圧するために、このバネ部材５５の押圧によって、改修用ドレンキャップ５１が改修用ドレン管４１から抜けてしまうことを防止して、改修用ドレンキャップ５１を屋上等に固定することが可能となる。
【先行技術文献】
【特許文献】
【００１４】
【特許文献１】特開２０１４−０３１６２５号公報
【特許文献２】特開２０１４−１３３９８１号公報
【特許文献３】特開２０１２−０２６２４１号公報
【特許文献４】特開２０１１−１４４５７３号公報
【特許文献５】特開２００６−０４５８８１号公報
【特許文献６】特開平１１−１２４９７２号公報
【特許文献７】特開平０９−１６５８８５号公報
【特許文献８】実用新案登録第３１８３９４２号公報
【特許文献９】実用新案登録第３１６４８５７号公報
【特許文献１０】実用新案登録第３１６１７００号公報
【考案の概要】
【考案が解決しようとする課題】
【００１５】
しかしながら、従来の改修用ドレンキャップは、バネ部材の弾性力のみで改修用ドレン管内に保持されているために、例えば台風等の強風が吹いた場合には改修用ドレン管から外れてしまう恐れがあった。
【００１６】
また、従来の改修用ドレンキャップは、前述したようにバネ部材が改修用ドレン管の内面を押圧しているために、改修用ドレン管の内部にゴミ、落ち葉等が流れ込んだ場合には、これらのゴミや落ち葉等がバネ部材に絡まってしまい、それによって、排水管が詰まってしまい、排水ができなくなってしまうため、雨漏り等の原因になっていた。
【００１７】
そこで、本考案は、外れにくいとともに、ドレン管内にゴミ、落ち葉等が詰まってしまうことを有効に防止することができるドレンキャップを提供することを課題としている。
【課題を解決するための手段】
【００１８】
本考案のドレンキャップは、
建物の屋上に形成された排水口を通水可能に塞ぎながら、屋上に着脱自在に固定されるドレンキャップであって、
多数の通水孔が形成された本体部と、
該本体部の下端に、本体部の外周方向に連設された取付部と、を具備したドレンキャップ本体と、
前記取付部を屋上に着脱自在に固定するための取付部材と、を具備したことを特徴としている。
【考案の効果】
【００１９】
本考案のドレンキャップは、多数の通水孔が形成された本体部と、この本体部の下端に本体部の外周方向に連設された取付部を有しているとともに、取付部を屋上に着脱自在に固定するための取付部材を具備している。
【００２０】
そのために、改修工事の後でも、ドレンキャップを屋上に強固に取り付けることができるとともに、バネ部材を用いた従来の改修用ドレンキャップと異なり、取付部を屋上に固定するために、ドレン管内にゴミ、落ち葉等が詰まってしまうことを有効に防止することができる
【図面の簡単な説明】
【００２１】
【図１】本考案のドレンキャップの実施例の正面側を示す図である。
【図２】本考案のドレンキャップの実施例の底面側を示す図である。
【図３】本考案のドレンキャップの実施例を取り付けるドレン管を示した図である。
【図４】本考案のドレンキャップの実施例における取付部材の他の形態を説明するための図である。
【図５】本考案のドレンキャップの他の形態を説明するための図である。
【図６】本考案のドレンキャップの他の形態を説明するための図である。
【図７】従来のドレンキャップの取り付け方法を説明するための図である。
【図８】改修用ドレン管を説明するための図である。
【図９】従来のドレンキャップを説明するための図である。
【考案を実施するための形態】
【００２２】
本考案のドレンキャップは、ドレンキャップ本体と、このドレンキャップ本体をドレン管に着脱自在に取り付けるための取付部材を有して構成されており、ドレンキャップ本体は、多数の通水孔を有した本体部と、この本体部の下端に連設された取付部を具備しており、取付部は本体部の外周方向に向けて連設されている。
【００２３】
そして、取付部材は、取付部を屋上に着脱自在に固定するために用いられる部材であり、マグネット又はフックが用いられている。
【００２４】
即ち、マグネットを用いる場合には、取付部の裏面に装着されたマグネット又は磁性体よりなるキャップ側取付部材と、このキャップ側取付部材に吸着可能な磁性体又はマグネットよりなる固定側取付部材で構成され、固定側取付部材を屋上側に取り付け、この固定側取付部材にキャップ側取付部材を吸着させることで、ドレンキャップ本体を屋上に着脱自在に固定することができる。
【００２５】
また、フックは、屋上側に取り付けられるベースと、このベースの上面に上方に連設された折り曲げ自在のフック部とを具備しており、このフックを用いて取付部をプレート部に着脱自在に固定するときは、ドレンキャップの取付部に係止孔を形成しておき、屋上側にベースを取り付けて、フック部が係止孔を貫通する配置でドレンキャップ本体で屋上の排水口を塞ぎ、その後にフックを折り曲げると良い。
【実施例１】
【００２６】
本考案のドレンキャップの実施例について図面を参照して説明すると、図１及び図２は本実施例のドレンキャップを示す図であり、図１は正面側を示し、図２には底面側を示している。
【００２７】
そして、図において１が本実施例のドレンキャップであり、本実施例のドレンキャップ１は、屋上の防水工事等の改修工事の後に、既存のドレン管内に挿入された改修用のドレン管の排水口を通水可能に塞ぐ改修用のドレンキャップとしており、ドレン管の排水口を通水可能に塞ぐドレンキャップ本体と、ドレンキャップ本体をドレン管のプレート部に着脱自在に固定し、これによりドレンキャップを屋上に固定するための取付部材を具備している。
【００２８】
ここで、前記ドレンキャップ本体について説明すると、図において２がドレンキャップ本体であり、本実施例において前記ドレンキャップ本体２は、本体部と取付部を有している。
【００２９】
即ち、図において３が本体部であり、本実施例において前記本体部３は、全体を樹脂により形成しており、円形の天井部４を有する中空の傘状としている。そして、天井部４の外周から下方に向けて、傘状に径を徐々に大きくして連設した側壁部５を有しており、少なくとも前記側壁部５には、複数個の通水孔６が形成されている。
【００３０】
そして、本体部３の下端に、取付部が連設されている。即ち、図において７が取付部であり、本実施例において前記取付部７は、前記本体部２の下端に、本体部２の外周方向に向けて鍔部分を連設し、この鍔部分を取付部７としている。
【００３１】
次に、前記取付部材について説明すると、本実施例では、取付部材としてマグネットを用いて、このマグネットによって、改修用のドレン管にドレンキャップ１を着脱自在に取り付けることとしている。そして、本実施例において前記取付部材は、前記取付部７の裏面に装着されたキャップ側取付部材８ａと、ドレン管のプレートに取り付けられる固定側取付部材８ｂで構成している。
【００３２】
即ち、図２において８ａがキャップ側取付部材であり、本実施例のドレンキャップ１では、前記取付部７の裏面に、周方向に沿って間隔を置いて、合計で８個のマグネットを取り付けており、このマグネットをキャップ側取付部材８ａとしている。
【００３３】
次に、図３は、本実施例のドレンキャップ１を取り付ける改修用のドレン管９を示す図であり、この改修用のドレン管９は、前述した従来の改修用のドレン管と同様に、中央部分に円状の排水口１０を有した鉛製のプレート１１を有しており、このプレート１１の下面には、樹脂等で形成されたフレキシブルな円筒状の挿入管部１２が連設され、この挿入管部１２の上部の開口部が、前記プレート１１の排水口１０に連通している。そして、屋上の改修工事を行う際に、既存のドレンキャップを取りはずした後に、既存のドレン管内に、挿入管部１２が挿入されて使用される。
【００３４】
次に、図において８ｂが固定側取付部材としてのマグネットである。即ち、本実施例のドレンキャップ１では、固定側取付部材としてのマグネット８ｂを改修用のドレン管９のプレート１１上に取り付けることとしており、これにより、ドレンキャップ本体２を改修用のドレン管９に着脱自在に固定可能としている。そして、本実施例において前記固定側取付部材８ｂは、ドレンキャップ本体２で改修用ドレン管９の排水口１０を塞いだ際に、プレート１１の上面における、前記キャップ側取付部材８ａに対向する箇所に固定側取付部材としてのマグネット８ｂを取り付けている。なお、取付部７の裏面、及びプレート部１１上へのマグネット８ａ、８ｂの取り付け方法は特に限定されず、接着によって取り付けても良く、その他、取付部７の裏面及びプレート部１１上に埋設しても良い。
【００３５】
次に、このように構成される本実施例のドレンキャップ１の使用方法について説明すると、本実施例のドレンキャップ１で、防水工事等の改修工事が完了した屋上の排水口を塞ぐ場合には、予め、改修用のドレン管９のプレート部１１の上面における、ドレンキャップ本体２で改修用ドレン管９の排水口１０を塞いだ際に、キャップ側取付部材８ａに対向する箇所に、固定側取付部材としてのマグネット８ｂを取り付けておく。
【００３６】
そして、改修用のドレン管９は、改修工事前に既存のドレン管の内部に挿入しておき、その状態で、排水口からドレン管内に防水剤等が入らないようにした状態で、防水工事等の改修工事を行う。
【００３７】
そして、改修工事が完了した後は、改修用のドレン管の排水口１０を塞ぐ形態で、本実施例のドレンキャップ１を改修用のドレン管９の上に載置するのみで良い。
【００３８】
そうすると、ドレンキャップ本体２における取付部７の裏面に取り付けたキャップ側取付部材８ａと、改修用のドレン管９におけるプレート部１１の上面に取り付けた固定側取付部材８ｂが互いに磁力によって吸着し合い、これにより、本実施例のドレンキャップ１を改修用のドレン管９に着脱自在に取り付けることが可能となる。
【００３９】
このように、本実施例のドレンキャップは、マグネットの吸着力によって改修用のドレン管に着脱自在に取り付けることとしているために、ドレン管に強固に取り付けることができるとともに、バネ部材を用いた従来の改修用ドレンキャップと異なり、ドレン管の内部には何も挿入しないために、ドレン管内にゴミ、落ち葉等が詰まってしまうことを有効に防止することができる
【００４０】
なお、前述の説明では、キャップ側取付部材８ａと固定側取付部材８ｂの双方をマグネットにした場合を説明したが、必ずしも双方をマグネットにする必要はなく、いずれかをマグネットにして、他方を磁性体にしてもよい。また、マグネットの形状等は特に限定されず、いずれのマグネットでも良い。従って、前述のように複数個のマグネットを取り付けても良く、その他、シート状のマグネットを用いても良い。
【００４１】
更に、本考案における取付部材は必ずしもマグネットに限定されるものではなく、ドレンキャップ本体をドレン管に取り付けることが可能であればいずれでも良く、例えばフックでもよい。即ち、図４はフックを取付部材として用いた場合を説明する図であり、図において１３がフックで、このフック１３では、改修用のドレン管９におけるプレート部１１の上面に取り付けられるベース１４と、このベース１４に上方向に連設されたフック部１５を有しており、フック部１５は折り曲げ自在としている。図４（ａ）が通常の状態を示しており、（ｂ）がフック部１５を折り曲げた状態を示している。
【００４２】
そして、このように構成されるフック１３を用いてドレンキャップ本体２を改修用のドレン管に取り付ける場合には、予め、改修用のドレン管９におけるプレート部１１の上面にベース１４を接着等で取り付けておき、ドレンキャップ本体２の取付部７には、フック部１５が貫通する貫通孔を形成しておく。そして、改修工事が完了した後に、取付部７に形成した貫通孔をフック部１５が貫通するようにして、ドレンキャップ本体２で改修用のドレン管９の排水口１０を塞いで、その後に、フック部１５を折り曲げてドレンキャップ本体２が改修用のドレン管９から外れないようにする。
【００４３】
そうすると、フック部１５による係止によってドレンキャップ本体２を改修用のドレン管に取り付けることができるとともに、フック部１５を元の形状に復元することでドレンキャップを取り外すことができる。
【００４４】
なお、屋上に形成されるドレン管は、床部分に形成されて下方向に伸びるものと、壁部分に形成されて横方向に伸びるものがあり、前述の説明では、下方向に伸びるドレン管を対象として説明したが、本考案のドレンキャップは、必ずしも下方向に伸びるドレン管用のドレンキャップには限定されず、横方向に伸びるドレン管に取り付ける横型ドレンキャップとしても良い。
【００４５】
即ち、図５が横型ドレンキャップ１６であり、図６が横方向に伸びるドレン管に改修用のドレン管９と横型ドレンキャップ１６を取り付けた状態を示しており、改修用のドレン管９は、屋上の床部分１９と壁部分２０の角度に沿うように、プレート部１１を折り曲げながら、既存のドレン管２１の内部に挿入管部１２が挿入されている。
【００４６】
また、横型ドレンキャップ１６は、改修用のドレン管９の排水口１０を通水可能に塞ぐ本体部１７を有しており、図６に示す横型ドレンキャップ１６では、板状でそれぞれに複数の通水孔１８を有する一対の本体片１７ａ、１７ｂを、折り曲げ自在に連結した本体部１７で構成されており、本体片１７ａ、１７ｂの裏面にマグネット等のキャップ側取付部材８ａを取り付けている。
【００４７】
そして、このような横型ドレンキャップ１６を使用する場合には、予め、改修用のドレン管９のプレート部１１の上面における、ドレンキャップ本体１６で改修用ドレン管９の排水口１０を塞いだ際にキャップ側取付部材８ａに対向する箇所に、固定側取付部材としてのマグネット（図示せず）を取り付けておくとともに、屋上の床部分１９と壁部分２０の角度に沿うようにしてプレート部１１を折り曲げながら、既存のドレン管２１の内部に改修用ドレン管９の挿入管部１２を挿入しておく。そして、改修工事が完了した後に、改修用のドレン管におけるプレート部１１の折り曲げ角度に対応した角度で前記本体片１７ａ、１７ｂを折り曲げ、その状態で、ドレンキャップで改修用のドレン管の排水口を塞ぐ。
【００４８】
そうすると、キャップ側取付部材８ａと固定側取付部材が互いに吸着し合い、ドレンキャップ１６を改修用のドレン管９に着脱自在に取り付けることが可能となる。
【００４９】
なお、固定側取付部材は必ずしも改修用のドレン管に取り付ける必要は無く、屋上に形成された排水口をドレンキャップ本体で通水可能に閉鎖できれば、どの部分に取り付けてもよく、例えば、防水工事が完了した屋上に直接マグネット又は磁性体を取り付けて、これにより、固定側取付部材としても良い。
【００５０】
また、本考案のドレンキャップは必ずしも改修用のドレンキャップとして使用する必要はなく、新築の建物の屋上用に使用しても良く、更に、屋上に限らず、ベランダ、バルコニー等に形成された排水口を通水可能に覆うドレンキャップとして使用しても良い。
【産業上の利用可能性】
【００５１】
本考案は、建物の屋上等に形成された排水口を通水可能に塞ぐドレンキャップにおいて、外れにくいとともに、ドレン管にゴミ、落ち葉等が詰まってしまうことを有効に防止することができるため、ドレンキャップの全般に適用可能である。
【符号の説明】
【００５２】
１    ドレンキャップ
２    ドレンキャップ本体
３    本体部
４    天井部
５    側壁部
６    通水孔
７    取付部
８    取付部材
８ａ  キャップ側取付部材
８ｂ  固定側取付部材
９    ドレン管
１０    排水口
１１    プレート部
１２    挿入管部
１３    フック
１４    ベース
１５    フック部
１６    横型ドレンキャップ
１７    本体部
１８    通水孔
１９    床部分
２０    壁部分
２１    ドレン管
【図１】
0003195249.tif 000003
【図２】
0003195249.tif 000004
【図３】
0003195249.tif 000005
【図４】
0003195249.tif 000006
【図５】
0003195249.tif 000007
【図６】
0003195249.tif 000008
【図７】
0003195249.tif 000009
【図８】
0003195249.tif 000010
【図９】
0003195249.tif 000011